(57)【要約】【課題】交通情報を無線伝送する無線通信システムの保守作業を効率的に行なうことが可能な無線通信装置および無線通信システムを提供する。【解決手段】交通情報を無線伝送するための主局および従局を備える無線通信システム、における無線通信装置であって、前記無線通信装置は、前記主局および前記従局の少なくともいずれか一方として使用可能であり、前記交通情報を含む無線信号を送信または受信する無線通信部と、前記無線通信部による前記交通情報の通信状況を認識可能に表示する制御を行なう表示制御部とを備える。【選択図】図２
2015097369.tif 000002
【特許請求の範囲】
【請求項１】
交通情報を無線伝送するための主局および従局を備える無線通信システム、における無線通信装置であって、
前記無線通信装置は、前記主局および前記従局の少なくともいずれか一方として使用可能であり、
前記交通情報を含む無線信号を送信または受信する無線通信部と、
前記無線通信部による前記交通情報の通信状況を認識可能に表示する制御を行なう表示制御部とを備える、無線通信装置。
【請求項２】
前記表示制御部は、所定の前記通信状況を表示する場合に、自己の前記無線通信装置が前記主局であるか前記従局であるかに応じて表示内容を変更する、請求項１に記載の無線通信装置。
【請求項３】
前記表示制御部は、前記無線通信部が前記交通情報を受信した状況を表示する場合に、自己の前記無線通信装置が前記主局であるか前記従局であるかに応じて表示内容を変更する、請求項２に記載の無線通信装置。
【請求項４】
前記交通情報は、車両の感知の有無を示す接点情報および前記接点情報と異なる情報であるシリアル情報を含み、
前記無線通信システムにおいては、前記接点情報を含むパケットが前記主局およびすべての前記従局を経由することが可能であり、前記シリアル情報を含むパケットが対応の前記従局および前記主局間で送受信され、
前記表示制御部は、前記接点情報の通信状況であるか前記シリアル情報の通信状況であるかに応じて表示対象を変更する、請求項１から請求項３のいずれか１項に記載の無線通信装置。
【請求項５】
前記無線通信システムにおいては、前記主局から送信されたパケットがすべての前記従局を経由して前記主局に戻ることが可能であり、かつ各前記従局が前記交通情報を前記パケットに含めることが可能であり、
前記主局または前記従局は、自局に対して前記主局から前記従局への下り方向側に接続された前記従局である下位局へ前記パケットを所定回数送信しても、前記下位局から自局へ前記パケットが戻ってこない場合、前記パケットの送信先から前記下位局を除外し、他の前記下位局または前記主局へ前記パケットを送信し、
前記表示制御部は、自己の前記無線通信装置が前記主局であり、かつ前記無線通信部が前記パケットを受信した状況を表示する場合に、前記パケットがすべての前記従局を経由したか否かに応じて表示内容を変更する、請求項１から請求項４のいずれか１項に記載の無線通信装置。
【請求項６】
前記表示制御部は、発光素子を用いて前記通信状況を表示する、請求項１から請求項５のいずれか１項に記載の無線通信装置。
【請求項７】
交通情報を無線伝送するための主局および１または複数の従局を備える無線通信システム、における無線通信装置であって、
前記無線通信装置は、前記主局および前記従局の少なくともいずれか一方として使用可能であり、
前記交通情報を含む無線信号を送信または受信する無線通信部と、
前記無線通信システムにおける前記主局および前記従局の接続形態、ならびに前記接続形態における前記主局および自己の前記無線通信装置を認識可能に表示する制御を行なう表示制御部とを備える、無線通信装置。
【請求項８】
前記表示制御部は、並んで配置された複数の発光素子において、前記接続形態における前記主局および前記従局と前記発光素子とを前記接続形態における接続順に対応付け、対応付けた各前記発光素子を点灯させ、
前記表示制御部は、対応付けた前記各発光素子のうち、自己の前記無線通信装置に対応する前記発光素子の点灯内容を他の前記発光素子の点灯内容と異ならせる、請求項７に記載の無線通信装置。
【請求項９】
前記表示制御部は、前記主局に対応する前記発光素子と前記従局に対応する前記発光素子との間に位置する前記発光素子を滅灯させるように制御する、請求項８に記載の無線通信装置。
【請求項１０】
前記無線通信システムは、さらに、前記主局および前記従局間において前記交通情報を中継する中継局を備え、
前記無線通信装置は、前記主局、前記従局および前記中継局のうちの少なくともいずれか１つとして使用可能であり、
前記表示制御部は、並んで配置された複数の発光素子において、前記接続形態における前記主局、前記中継局および前記従局と前記発光素子とを前記接続形態における接続順に対応付け、対応付けた各前記発光素子を点灯させ、
前記表示制御部は、さらに、前記中継局に対応する前記発光素子と前記主局および従局に対応する前記発光素子との間に位置する各前記発光素子を滅灯させるように制御する、請求項９に記載の無線通信装置。
【請求項１１】
前記表示制御部は、並んで配置された複数の発光素子と前記無線通信システムにおける前記主局および前記従局とを、前記主局および前記従局にそれぞれ付与された番号に基づいて対応付け、対応付けた各前記発光素子を点灯させ、
前記表示制御部は、前記接続形態における接続順に応じて前記発光素子の点灯内容を異ならせる、請求項７から請求項１０のいずれか１項に記載の無線通信装置。
【請求項１２】
前記表示制御部は、対応付けた前記各発光素子のうち、自己の前記無線通信装置に対応する前記発光素子の点灯内容を他の前記発光素子の点灯内容と異ならせる、請求項１１に記載の無線通信装置。
【請求項１３】
前記表示制御部は、対応付けた前記各発光素子において、前記発光素子が前記主局に対応するか前記従局に対応するかに応じて前記発光素子の点灯内容を変更する、請求項１１または請求項１２に記載の無線通信装置。
【請求項１４】
前記表示制御部は、前記従局に対応する前記発光素子を点滅させ、前記接続形態における前記主局から前記従局への方向に、前記発光素子の点滅速度を順次速くする、請求項１１から請求項１３のいずれか１項に記載の無線通信装置。
【請求項１５】
前記表示制御部は、前記各発光素子のうち、自己の前記無線通信装置に対応する前記発光素子を、さらに、周期的に滅灯させ、滅灯させる期間を、最も遅い点滅速度で点滅する前記発光素子の滅灯期間よりも長くする、請求項１４に記載の無線通信装置。
【請求項１６】
前記表示制御部は、前記主局に対応する前記発光素子を常時点灯させる、請求項１４に記載の無線通信装置。
【請求項１７】
前記無線通信システムは、共通の前記主局を一方の端点として直列接続された前記主局および前記従局の組を複数備え、
前記表示制御部は、並んで配置された複数の発光素子の組が各前記発光素子の配置方向と交差する方向に複数設けられた表示部において、前記主局および前記従局の組と前記発光素子の組とを対応付け、対応付けた前記組の前記各発光素子を点灯させる、請求項７から請求項１６のいずれか１項に記載の無線通信装置。
【請求項１８】
前記表示制御部は、前記主局および前記従局の組の数が前記発光素子の組の数よりも多い場合、前記発光素子の組と前記主局および前記従局の組との対応関係を変更可能である、請求項１７に記載の無線通信装置。
【請求項１９】
主局および従局を備える無線通信システムであって、
前記主局および前記従局の少なくともいずれか一方は、
交通情報を含む無線信号を送信または受信する無線通信部と、
前記無線通信部による前記交通情報の通信状況を認識可能に表示する制御を行なう表示制御部とを含む、無線通信システム。
【請求項２０】
主局および１または複数の従局を備える無線通信システムであって、
前記主局および前記従局の少なくともいずれか一方は、
交通情報を含む無線信号を送信または受信する無線通信部と、
前記無線通信システムにおける前記主局および前記従局の接続形態、ならびに前記接続形態における前記主局および自己の前記主局または前記従局を認識可能に表示する制御を行なう表示制御部とを含む、無線通信システム。
【発明の詳細な説明】
【技術分野】
【０００１】
本発明は、無線通信装置および無線通信システムに関し、特に、交通情報を無線伝送する無線通信装置および無線通信システムに関する。
【背景技術】
【０００２】
複数の交差点の信号灯器の灯色を制御するために、信号制御装置と車両感知器との間、または信号制御装置と管制センタにおける中央装置との間で交通情報を伝送する交通管制システムが開発されている。
【０００３】
従来、信号制御装置および車両感知器等の交通設備間の通信は、地下に埋設されるかまたは電柱に架設された通信線を用いた有線通信が主流であった。これに対して、近年、配線工事のための道路規制を回避し、また、工事費用を削減する目的で、無線ＬＡＮ（Ｌｏｃａｌ  Ａｒｅａ  Ｎｅｔｗｏｒｋ）を用いて交通設備間の通信を行なう無線通信システムが開発されている。
【０００４】
たとえば、特開２００８−２０５７６５号公報（特許文献１）には、以下のような無線通信システムが開示されている。すなわち、交通管制システムでは、路上に設置された交通信号制御機や光ビーコン等と交通管制センタに設置された中央装置との間で機器状態や制御に関する通信データをやり取りしている。前記通信データを第一無線通信装置が第二無線通信装置に対して送信する場合、第一無線通信装置は、無線通信経路Ａ〜Ｃのノイズ特性等を監視して、通信可能な通信速度の平均値や最小値等を取得する。また、前記通信データの属性を取得し、前記属性に応じた優先度を優先度テーブルから取得する。そして、前記取得した通信速度の平均値等および優先度に基づいて適切な無線通信経路を選択して送信する。
【先行技術文献】
【特許文献】
【０００５】
【特許文献１】特開２００８−２０５７６５号公報
【発明の概要】
【発明が解決しようとする課題】
【０００６】
上記のような無線ＬＡＮを用いた無線通信システムは、たとえば、アクセスポイントに相当する主局と、配下の従局とを備える。主局には、たとえば、従局との通信に関する種々の設定情報が記憶されている。
【０００７】
無線通信システムにおいて通信障害が発生した場合等、無線通信システムの保守作業を行なう必要がある場合、作業者は、設置されている主局または従局である各無線通信装置の通信状況を把握する必要がある。また、設置されている各無線通信装置のうち、まず、いずれの無線通信装置が主局であるかを把握することが、たとえば通信障害の原因解析を行なう上で好ましい。
【０００８】
この場合、作業者は、各地点に散在している無線通信装置にＰＣ（Ｐｅｒｓｏｎａｌ  Ｃｏｍｐｕｔｅｒ）等を接続して通信状況を確認する作業を行なう必要があり、また、当該無線通信装置が主局であるか否かの情報をＰＣ等経由で取得する作業を、主局が見つかるまで総当たり的に行なう必要があり、保守作業に長時間を要する。
【０００９】
この発明は、上述の課題を解決するためになされたもので、その目的は、交通情報を無線伝送する無線通信システムの保守作業を効率的に行なうことが可能な無線通信装置および無線通信システムを提供することである。
【課題を解決するための手段】
【００１０】
（１）上記課題を解決するために、この発明のある局面に係わる無線通信装置は、交通情報を無線伝送するための主局および従局を備える無線通信システム、における無線通信装置であって、前記無線通信装置は、前記主局および前記従局の少なくともいずれか一方として使用可能であり、前記交通情報を含む無線信号を送信または受信する無線通信部と、前記無線通信部による前記交通情報の通信状況を認識可能に表示する制御を行なう表示制御部とを備える。
【００１１】
（７）またこの発明の別の局面に係わる無線通信装置は、交通情報を無線伝送するための主局および１または複数の従局を備える無線通信システム、における無線通信装置であって、前記無線通信装置は、前記主局および前記従局の少なくともいずれか一方として使用可能であり、前記交通情報を含む無線信号を送信または受信する無線通信部と、前記無線通信システムにおける前記主局および前記従局の接続形態、ならびに前記接続形態における前記主局および自己の前記無線通信装置を認識可能に表示する制御を行なう表示制御部とを備える。
【００１２】
（１９）上記課題を解決するために、この発明のある局面に係わる無線通信システムは、主局および従局を備える無線通信システムであって、前記主局および前記従局の少なくともいずれか一方は、交通情報を含む無線信号を送信または受信する無線通信部と、前記無線通信部による前記交通情報の通信状況を認識可能に表示する制御を行なう表示制御部とを含む。
【００１３】
（２０）またこの発明の別の局面に係わる無線通信システムは、主局および１または複数の従局を備える無線通信システムであって、前記主局および前記従局の少なくともいずれか一方は、交通情報を含む無線信号を送信または受信する無線通信部と、前記無線通信システムにおける前記主局および前記従局の接続形態、ならびに前記接続形態における前記主局および自己の前記主局または前記従局を認識可能に表示する制御を行なう表示制御部とを含む。
【００１４】
本発明は、このような特徴的な処理部を備える無線通信装置として実現できるだけでなく、かかる特徴的な処理をステップとする方法として実現したり、かかるステップをコンピュータに実行させるためのプログラムとして実現したりすることができる。また、無線基地局装置の一部または全部を実現する半導体集積回路として実現することができる。
【発明の効果】
【００１５】
本発明によれば、交通情報を無線伝送する無線通信システムの保守作業を効率的に行なうことができる。
【図面の簡単な説明】
【００１６】
【図１】図１は、本発明の第１の実施の形態に係る無線通信システムの構成を示す図である。
【図２】図２は、本発明の第１の実施の形態に係る無線通信システムの適用例を示す図である。
【図３】図３は、本発明の第１の実施の形態に係る無線通信システムにおける通信パケットの伝送の一例を示す図である。
【図４】図４は、本発明の第１の実施の形態に係る無線通信システムにおける通信パケットの伝送の一例を示す図である。
【図５】図５は、本発明の第１の実施の形態に係る無線通信システムの主局による制御パケットおよびシリアルパケットの送信内容の一例を示す図である。
【図６】図６は、図５に示す主局の送信内容の１周期目を詳細に示す図である。
【図７】図７は、本発明の第１の実施の形態に係る無線通信システムにおける無線通信装置の構成を示す図である。
【図８】図８は、本発明の第１の実施の形態に係る無線通信装置における表示部および操作部の構成の一例を示す図である。
【図９】図９は、本発明の第１の実施の形態に係る無線通信装置における表示部の表示内容の一例を説明するための図である。
【図１０】図１０は、本発明の第１の実施の形態に係る無線通信装置における表示部の表示内容の一例を示す図である。
【図１１】図１１は、本発明の第１の実施の形態に係る無線通信システムにおける各無線局のネットワーク構成の一例を示す図である。
【図１２】図１２は、本発明の第１の実施の形態に係る無線通信装置の表示部におけるロータリスイッチ設定と表示対象のネットワーク構成との関係の一例を示す図である。
【図１３】図１３は、本発明の第２の実施の形態に係る無線通信装置における表示部の表示内容の一例を示す図である。
【図１４】図１４は、本発明の第２の実施の形態に係る無線通信システムにおける各無線局のネットワーク構成の他の例を示す図である。
【図１５】図１５は、本発明の第２の実施の形態に係る無線通信装置における表示部の表示内容の一例を説明するための図である。
【発明を実施するための形態】
【００１７】
最初に、本発明の実施形態の内容を列記して説明する。
【００１８】
（１）本発明の実施の形態に係る無線通信装置は、交通情報を無線伝送するための主局および従局を備える無線通信システム、における無線通信装置であって、前記無線通信装置は、前記主局および前記従局の少なくともいずれか一方として使用可能であり、前記交通情報を含む無線信号を送信または受信する無線通信部と、前記無線通信部による前記交通情報の通信状況を認識可能に表示する制御を行なう表示制御部とを備える。
【００１９】
このような構成により、無線通信システムの保守作業において、設置されている各無線通信装置の通信状況、すなわち交通情報の通信状況を容易に把握することができるため、無線通信装置にＰＣ等を接続して通信状況を確認する作業を行なう必要がなくなる。したがって、交通情報を無線伝送する無線通信システムの保守作業を効率的に行なうことができる。
【００２０】
（２）好ましくは、前記表示制御部は、所定の前記通信状況を表示する場合に、自己の前記無線通信装置が前記主局であるか前記従局であるかに応じて表示内容を変更する。
【００２１】
このような構成により、無線通信装置が主局であるか従局であるかを容易に把握することができるため、無線通信システムの保守作業をより効率的に行なうことができる。
【００２２】
（３）より好ましくは、前記表示制御部は、前記無線通信部が前記交通情報を受信した状況を表示する場合に、自己の前記無線通信装置が前記主局であるか前記従局であるかに応じて表示内容を変更する。
【００２３】
このように、交通情報を受信した状況の表示内容を主局および従局の別に応じて変更する構成により、確認容易性を向上させることができる。また、無線局間の交通情報の通信状況をより実質的に表現することができる。
【００２４】
（４）好ましくは、前記交通情報は、車両の感知の有無を示す接点情報および前記接点情報と異なる情報であるシリアル情報を含み、前記無線通信システムにおいては、前記接点情報を含むパケットが前記主局およびすべての前記従局を経由することが可能であり、前記シリアル情報を含むパケットが対応の前記従局および前記主局間で送受信され、前記表示制御部は、前記接点情報の通信状況であるか前記シリアル情報の通信状況であるかに応じて表示対象を変更する。
【００２５】
このような構成により、伝送される交通情報の種類に応じた表示内容に基づき、より詳細な通信状況を把握することができる。
【００２６】
（５）好ましくは、前記無線通信システムにおいては、前記主局から送信されたパケットがすべての前記従局を経由して前記主局に戻ることが可能であり、かつ各前記従局が前記交通情報を前記パケットに含めることが可能であり、前記主局または前記従局は、自局に対して前記主局から前記従局への下り方向側に接続された前記従局である下位局へ前記パケットを所定回数送信しても、前記下位局から自局へ前記パケットが戻ってこない場合、前記パケットの送信先から前記下位局を除外し、他の前記下位局または前記主局へ前記パケットを送信し、前記表示制御部は、自己の前記無線通信装置が前記主局であり、かつ前記無線通信部が前記パケットを受信した状況を表示する場合に、前記パケットがすべての前記従局を経由したか否かに応じて表示内容を変更する。
【００２７】
このような構成により、交通情報を含むパケットの通信状況をより詳しく把握することができるため、無線通信システムの保守作業をより効率的に行なうことができる。
【００２８】
（６）好ましくは、前記表示制御部は、発光素子を用いて前記通信状況を表示する。
【００２９】
このような構成により、通信状況をより直感的に把握することができるため、無線通信システムの保守作業をより効率的に行なうことができる。
【００３０】
（７）本発明の実施の形態に係る無線通信装置は、交通情報を無線伝送するための主局および１または複数の従局を備える無線通信システム、における無線通信装置であって、前記無線通信装置は、前記主局および前記従局の少なくともいずれか一方として使用可能であり、前記交通情報を含む無線信号を送信または受信する無線通信部と、前記無線通信システムにおける前記主局および前記従局の接続形態、ならびに前記接続形態における前記主局および自己の前記無線通信装置を認識可能に表示する制御を行なう表示制御部とを備える。
【００３１】
このような構成により、無線通信システムの保守作業において、設置されている各無線通信装置のうち、いずれの無線通信装置が主局であるか等、ネットワーク構成を容易に把握することができるため、無線通信装置にＰＣ等を接続して当該無線通信装置が主局であるか等を確認する作業を行なう必要がなくなる。したがって、交通情報を無線伝送する無線通信システムの保守作業を効率的に行なうことができる。
【００３２】
（８）好ましくは、前記表示制御部は、並んで配置された複数の発光素子において、前記接続形態における前記主局および前記従局と前記発光素子とを前記接続形態における接続順に対応付け、対応付けた各前記発光素子を点灯させ、前記表示制御部は、対応付けた前記各発光素子のうち、自己の前記無線通信装置に対応する前記発光素子の点灯内容を他の前記発光素子の点灯内容と異ならせる。
【００３３】
このような構成により、表示されたネットワーク構成において、自己の無線通信装置を容易に把握することができるため、無線通信システムの保守作業をより効率的に行なうことができる。
【００３４】
（９）より好ましくは、前記表示制御部は、前記主局に対応する前記発光素子と前記従局に対応する前記発光素子との間に位置する前記発光素子を滅灯させるように制御する。
【００３５】
このような構成により、表示されたネットワーク構成において、主局および従局の区切りを容易に把握することができるため、無線通信システムの保守作業をより効率的に行なうことができる。
【００３６】
（１０）より好ましくは、前記無線通信システムは、さらに、前記主局および前記従局間において前記交通情報を中継する中継局を備え、前記無線通信装置は、前記主局、前記従局および前記中継局のうちの少なくともいずれか１つとして使用可能であり、前記表示制御部は、並んで配置された複数の発光素子において、前記接続形態における前記主局、前記中継局および前記従局と前記発光素子とを前記接続形態における接続順に対応付け、対応付けた各前記発光素子を点灯させ、前記表示制御部は、さらに、前記中継局に対応する前記発光素子と前記主局および従局に対応する前記発光素子との間に位置する各前記発光素子を滅灯させるように制御する。
【００３７】
このような構成により、表示されたネットワーク構成において、主局、中継局および従局の区切りを容易に把握することができるため、無線通信システムの保守作業をより効率的に行なうことができる。
【００３８】
（１１）好ましくは、前記表示制御部は、並んで配置された複数の発光素子と前記無線通信システムにおける前記主局および前記従局とを、前記主局および前記従局にそれぞれ付与された番号に基づいて対応付け、対応付けた各前記発光素子を点灯させ、前記表示制御部は、前記接続形態における接続順に応じて前記発光素子の点灯内容を異ならせる。
【００３９】
このような構成により、各無線局の番号を参照しながら通信解析を行なう場合等、各無線局の番号を用いて無線通信システムの保守作業をより効率的に行なうことができる。
【００４０】
（１２）より好ましくは、前記表示制御部は、対応付けた前記各発光素子のうち、自己の前記無線通信装置に対応する前記発光素子の点灯内容を他の前記発光素子の点灯内容と異ならせる。
【００４１】
このような構成により、表示されたネットワーク構成において、自己の無線通信装置を容易に把握することができるため、無線通信システムの保守作業をより効率的に行なうことができる。
【００４２】
（１３）より好ましくは、前記表示制御部は、対応付けた前記各発光素子において、前記発光素子が前記主局に対応するか前記従局に対応するかに応じて前記発光素子の点灯内容を変更する。
【００４３】
このような構成により、表示されたネットワーク構成において、主局および従局の別を容易に把握することができるため、無線通信システムの保守作業をより効率的に行なうことができる。
【００４４】
（１４）より好ましくは、前記表示制御部は、前記従局に対応する前記発光素子を点滅させ、前記接続形態における前記主局から前記従局への方向に、前記発光素子の点滅速度を順次速くする。
【００４５】
このような構成により、ネットワーク構成の詳細をより直感的に把握することができるため、無線通信システムの保守作業をより効率的に行なうことができる。
【００４６】
（１５）より好ましくは、前記表示制御部は、前記各発光素子のうち、自己の前記無線通信装置に対応する前記発光素子を、さらに、周期的に滅灯させ、滅灯させる期間を、最も遅い点滅速度で点滅する前記発光素子の滅灯期間よりも長くする。
【００４７】
このような構成により、ネットワーク構成の詳細をより直感的に把握可能な表示において、自己の無線通信装置を容易に把握することができる。
【００４８】
（１６）より好ましくは、前記表示制御部は、前記主局に対応する前記発光素子を常時点灯させる。
【００４９】
このような構成により、ネットワーク構成の詳細をより直感的に把握可能な表示において、主局を容易に把握することができる。
【００５０】
（１７）より好ましくは、前記無線通信システムは、共通の前記主局を一方の端点として直列接続された前記主局および前記従局の組を複数備え、前記表示制御部は、並んで配置された複数の発光素子の組が各前記発光素子の配置方向と交差する方向に複数設けられた表示部において、前記主局および前記従局の組と前記発光素子の組とを対応付け、対応付けた前記組の前記各発光素子を点灯させる。
【００５１】
このような構成により、無線通信システムにおいて主局から従局への接続ラインが分岐している場合に、このようなネットワーク構成の詳細を容易に把握することができるため、無線通信システムの保守作業をより効率的に行なうことができる。
【００５２】
（１８）より好ましくは、前記表示制御部は、前記主局および前記従局の組の数が前記発光素子の組の数よりも多い場合、前記発光素子の組と前記主局および前記従局の組との対応関係を変更可能である。
【００５３】
このような構成により、無線通信システムにおいて主局から従局への接続ラインの分岐が多い場合に、限られた表示リソースの中でネットワーク構成の詳細を容易に把握することができる。
【００５４】
（１９）本発明の実施の形態に係る無線通信システムは、主局および従局を備える無線通信システムであって、前記主局および前記従局の少なくともいずれか一方は、交通情報を含む無線信号を送信または受信する無線通信部と、前記無線通信部による前記交通情報の通信状況を認識可能に表示する制御を行なう表示制御部とを含む。
【００５５】
このような構成により、無線通信システムの保守作業において、設置されている各無線通信装置の通信状況、すなわち交通情報の通信状況を容易に把握することができるため、無線通信装置にＰＣ等を接続して通信状況を確認する作業を行なう必要がなくなる。したがって、交通情報を無線伝送する無線通信システムの保守作業を効率的に行なうことができる。
【００５６】
（２０）本発明の実施の形態に係る無線通信システムは、主局および１または複数の従局を備える無線通信システムであって、前記主局および前記従局の少なくともいずれか一方は、交通情報を含む無線信号を送信または受信する無線通信部と、前記無線通信システムにおける前記主局および前記従局の接続形態、ならびに前記接続形態における前記主局および自己の前記主局または前記従局を認識可能に表示する制御を行なう表示制御部とを含む。
【００５７】
このような構成により、無線通信システムの保守作業において、設置されている各無線通信装置のうち、いずれの無線通信装置が主局であるか等、ネットワーク構成を容易に把握することができるため、無線通信装置にＰＣ等を接続して当該無線通信装置が主局であるか等を確認する作業を行なう必要がなくなる。したがって、交通情報を無線伝送する無線通信システムの保守作業を効率的に行なうことができる。
【００５８】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００５９】
＜第１の実施の形態＞
図１は、本発明の第１の実施の形態に係る無線通信システムの構成を示す図である。
【００６０】
図１を参照して、無線通信システム３０１は、主局１０１と、１または複数の従局２０２と、無線ＬＡＮネットワーク２０１と、複数の端末Ａ〜Ｅとを備える。無線ＬＡＮネットワーク２０１は、１または複数の中継局１５１を含む。なお、無線ＬＡＮネットワーク２０１は、１または複数の従局２０２を含む構成であってもよい。また、無線通信システム３０１は、中継局１５１を含まない構成であってもよい。
【００６１】
主局１０１、中継局１５１および従局２０２は、たとえば、ＩＥＥＥ８０２．１１規格に従い、ＩＳＭバンド（Ｉｎｄｕｓｔｒｙ  Ｓｃｉｅｎｃｅ  Ｍｅｄｉｃａｌ  ｂａｎｄ）である２．４ＧＨｚ帯の無線信号を送受信することにより、互いに通信可能である。
【００６２】
以下、主局１０１、中継局１５１および従局２０２の各々を無線局と称する場合がある。
【００６３】
主局１０１は、無線通信システム３０１における各中継局１５１および各従局２０２を管理する。より詳細には、たとえば、主局１０１は、一定間隔で通信パケットを中継局１５１および従局２０２へ送信し、当該通信パケットに対する応答パケットを中継局１５１および従局２０２から受信する。また、主局１０１は、各中継局１５１および各従局２０２におけるＲＳＳＩ（Ｒｅｃｅｉｖｅｄ  Ｓｉｇｎａｌ  Ｓｔｒｅｎｇｔｈ  Ｉｎｄｉｃａｔｉｏｎ）等の測定情報および設定情報等を参照可能である。
【００６４】
主局１０１は、端末Ａと有線接続され、端末Ａから受信した情報を無線信号に含めて中継局１５１または従局２０２へ送信し、中継局１５１または従局２０２から受信した無線信号に含まれる情報を端末Ａへ送信する。
【００６５】
従局２０２は、端末と有線接続され、当該端末から受信した情報を無線信号に含めて主局１０１または中継局１５１へ送信し、主局１０１または中継局１５１から受信した無線信号に含まれる情報を当該端末へ送信する。図１では、３つの従局２０２に、端末Ｂ、端末Ｃおよび端末Ｄ，Ｅがそれぞれ接続される状態が一例として示されている。
【００６６】
交通管制システムに用いられる無線通信システム３０１では、周囲の景観の制限により大型の高利得アンテナを使用することが困難であり、１対の無線局間の伝送距離が３００ｍ前後となり、中継局が必要となる場合が多い。すなわち、中継局１５１は、たとえば、主局１０１および従局２０２間の距離が長い場合に配置され、主局１０１および従局２０２間でやり取りされる交通情報を中継し、また、交通情報を複数の無線局へ分岐することが可能である。また、たとえば、主局１０１、中継局１５１および従局２０２は、見通し内の無線伝送が可能な場所に設置される。
【００６７】
また、中継局１５１は、主局１０１、従局２０２および他の中継局１５１から送信された交通情報を取得し、各種処理を行なうことも可能である。また、中継局１５１に端末が有線接続されてもよい。この場合、中継局１５１および当該中継局１５１に接続された端末は、従局２０２および当該従局２０２に接続された端末と同様の通信動作を行なうことが可能である。
【００６８】
図２は、本発明の第１の実施の形態に係る無線通信システムの適用例を示す図である。
【００６９】
図２を参照して、無線通信システム３０１は、たとえば交通管制システム４０１に用いられる。交通管制システム４０１は、主局１０１と、中継局１５１と、３つの従局２０２と、中央側通信装置（ＴＴＲ）１６０と、交通信号機１６１と、光ビーコン１６２と、画像センサ１６３と、超音波センサ１６４とを備える。中央側通信装置１６０、交通信号機１６１、光ビーコン１６２、画像センサ１６３および超音波センサ１６４は、図１に示す端末に相当する。
【００７０】
交通管制センタに設置される中央装置２５１は、たとえば、複数の交差点または道路等に設置された各信号灯器の灯色の全体的な制御を行なう。
【００７１】
より詳細には、中央装置２５１は、信号灯色の切り替えタイミングを示す信号制御指令情報を中央側通信装置１６０へ送信する。
【００７２】
中央側通信装置１６０は、中央装置２５１から受信した信号制御指令情報を主局１０１および従局２０２経由で交通信号機１６１へ送信する。
【００７３】
交通信号機１６１は、信号灯器および信号制御機を含む。信号灯器は、交差点または道路等に設置され、赤、青または黄等の灯色を切り替えて車両の運転者または歩行者に対して信号を表示する。信号制御機は、中央装置２５１から受信した信号制御指令情報に基づいて、信号灯器の灯色を切り替える制御を行なう。
【００７４】
また、信号制御機は、信号灯器の切り替え制御等、自己の動作履歴を示す信号制御実行情報を従局２０２および主局１０１経由で中央側通信装置１６０へ送信する。
【００７５】
中央側通信装置１６０は、信号制御機から受信した信号制御実行情報を中央装置２５１へ送信する。
【００７６】
また、中央装置２５１は、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）（登録商標）情報を作成して中央側通信装置１６０へ送信する。
【００７７】
中央側通信装置１６０は、中央装置２５１から受信したＶＩＣＳ情報を主局１０１、中継局１５１および従局２０２経由で光ビーコン１６２へ送信する。
【００７８】
光ビーコン１６２は、たとえば、車両に搭載された通信機と近赤外線を用いて双方向通信を行なうことが可能である。光ビーコン１６２は、たとえば、中央側通信装置１６０から受信したＶＩＣＳ情報を車両に提供するとともに、車両に搭載された通信機から受けた走行経路の旅行時間等の車両情報を従局２０２、中継局１５１および主局１０１経由で中央側通信装置１６０へ送信する。
【００７９】
画像センサ１６３は、車両を撮像し、当該車両の画像情報を従局２０２、中継局１５１および主局１０１経由で中央側通信装置１６０へ送信する。また、画像センサ１６３は、たとえば、車両の速度、通過台数または渋滞長を従局２０２、中継局１５１および主局１０１経由で中央側通信装置１６０へ送信する。
【００８０】
超音波センサ１６４は、超音波式の車両感知器であり、車両の感知の有無を２値で表すパルス信号である接点情報を従局２０２、中継局１５１および主局１０１経由で中央側通信装置１６０へ送信する。
【００８１】
中央側通信装置１６０は、光ビーコン１６２、画像センサ１６３および超音波センサ１６４から受信した各種情報を中央装置２５１へ送信する。
【００８２】
このように、主局１０１、中継局１５１および従局２０２間で送受信される交通情報には、たとえば、信号制御指令情報と、信号制御実行情報と、接点情報と、ＶＩＣＳ情報と、車両情報とがある。また、交通情報には、たとえば、車両の画像情報と、車両の速度と、通過台数と、渋滞長とがある。
【００８３】
図３は、本発明の第１の実施の形態に係る無線通信システムにおける通信パケットの伝送の一例を示す図である。
【００８４】
図３を参照して、主局１０１、中継局１５１および従局２０２は、通信パケットとして、たとえば、制御パケットを互いに送受信する。
【００８５】
制御パケットは、各無線局に対する命令および状態収集等に用いられる。具体的には、たとえば、制御パケットには、接点情報およびＲＳＳＩが挿入される。
【００８６】
無線通信システム３０１においては、制御パケットが主局１０１およびすべての従局２０２を経由することが可能である。
【００８７】
たとえば、無線通信システム３０１においては、図の太線矢印で示すように、主局１０１から送信された制御パケットがすべての従局２０２を経由して主局１０１に戻ることが可能であり、かつ各従局２０２が接点情報等の交通情報を制御パケットに含めることが可能である。
【００８８】
具体的には、制御パケットは、１周期の先頭タイミングにおいて１回、主局１０１から送信され、すべての中継局１５１および従局２０２を経由して主局１０１に戻る。この１周期の長さは、たとえば、デフォルト値として２００ｍｓが設定されており、可変である。接点情報のサンプリング周期はたとえば１０ｍｓであり、この場合、１つの制御パケットには２０サンプル分の接点情報が含まれる。主局１０１は、制御パケットが戻ってこない場合、制御パケットの再送処理を行なう。
【００８９】
制御パケットは、通信パケットが定期的にすべての無線局を循環しているか、をチェックするヘルスチェックの役割を果たしている。
【００９０】
図４は、本発明の第１の実施の形態に係る無線通信システムにおける通信パケットの伝送の一例を示す図である。
【００９１】
図４を参照して、主局１０１、中継局１５１および従局２０２は、通信パケットとして、たとえば、シリアルパケットを互いに送受信する。
【００９２】
シリアルパケットには、たとえば、制御パケットに含まれる接点情報等とは異なる情報であるシリアル情報が挿入される。シリアル情報は、たとえば、主局１０１、中継局１５１または従局２０２に接続された端末からの情報である。具体的には、シリアル情報は、たとえば、信号制御指令情報、信号制御実行情報、ＶＩＣＳ情報または車両情報等の交通情報を含む。たとえば、シリアルパケットには、無線制御用の情報以外では、交通情報のみが含まれてもよいし、他の情報が含まれてもよい。
【００９３】
無線通信システム３０１においては、シリアルパケットが対応の従局２０２および主局１０１間で送受信される。
【００９４】
具体的には、たとえば、シリアルパケットは、制御パケットが主局１０１に戻ってきてから、１周期が終了するまでの間、一定間隔で主局１０１から送信される。この一定間隔の長さは、たとえば、デフォルト値として１０ｍｓが設定されており、可変である。
【００９５】
各無線局は、シリアル情報をたとえば４チャネル並行して伝送することができる。無線局は、たとえば、シリアルパケットを１チャネルごとに順番に送信する。シリアルパケットは、主局１０１側の端末および従局２０２側の端末間でピアツーピア方式に従い、送受信される。
【００９６】
図４では、端末Ａおよび端末Ｂ間にチャネル１が割り当てられ、端末Ａおよび端末Ｃ間にチャネル２が割り当てられ、端末Ａおよび端末Ｄ間にチャネル３が割り当てられ、端末Ａおよび端末Ｅ間にチャネル４が割り当てられており、端末Ｄおよび端末Ｅに接続された従局２０２が２チャンネル分のシリアルパケットを処理する例が示されている。
【００９７】
上記他の情報として、ＦＴＰ（File Transfer Protocol）に従う情報、およびＴｅｌｎｅｔに従う情報がシリアルパケットに含まれる場合、たとえば端末Ａおよび端末Ｂ間でファイル転送および遠隔操作をそれぞれ行なうことが可能となる。
【００９８】
図５は、本発明の第１の実施の形態に係る無線通信システムの主局による制御パケットおよびシリアルパケットの送信内容の一例を示す図である。図６は、図５に示す主局の送信内容の１周期目を詳細に示す図である。図５および図６では、１周期の長さが２００ｍｓであり、送信間隔すなわち図に示す１マスが１０ｍｓである場合を示している。
【００９９】
図５および図６を参照して、まず、主局１０１は、１周期Ｔの先頭タイミングにおいて制御パケットを送信し、当該制御パケットが戻ってくるまで待機する（ＮＯＰ）。ここでは、主局１０１は、制御パケットを送信してから所定時間経過しても当該制御パケットが戻ってこないため、新たな制御パケットを再送している。
【０１００】
そして、主局１０１は、３回目に送信した制御パケットが戻って来たことから、シリアルパケットの送信を開始する。主局１０１は、チャネル１〜４のシリアルパケットを順番に送信し、チャネル２のシリアルパケットの送信で１周期Ｔが終了する。
【０１０１】
次に、主局１０１は、２周期目の先頭タイミングにおいて制御パケットを送信し、当該制御パケットが戻ってくるまで待機する（ＮＯＰ）。ここでは、主局１０１は、１回目に送信した制御パケットが戻って来たことから、制御パケットの再送を行なうことなくシリアルパケットの送信を開始する。主局１０１は、チャネル１〜４のシリアルパケットを順番に送信し、チャネル４のシリアルパケットの送信で２周期目が終了する。
【０１０２】
図７は、本発明の第１の実施の形態に係る無線通信システムにおける無線通信装置の構成を示す図である。
【０１０３】
図７を参照して、無線通信装置９１は、主局１０１、中継局１５１または従局２０２として使用可能であり、アンテナ１０と、無線通信部１１と、有線通信部１２と、制御部１３と、操作部１４と、表示部１５と、記憶部１６とを備える。
【０１０４】
無線通信部１１は、アンテナ１０において受信された他の無線局からの無線信号をたとえばベースバンド信号に周波数変換し、この周波数変換した信号をデジタル信号に変換する。そして、無線通信部１１は、変換したデジタル信号に対して種々の信号処理を行ない、この信号処理後のデジタル信号を有線通信部１２および制御部１３へ出力する。このデジタル信号には、交通情報等が含まれる。
【０１０５】
有線通信部１２は、無線通信部１１から受けたデジタル信号の一部または全部を所定のフレームフォーマットに変換して有線経由で端末へ送信する。
【０１０６】
また、有線通信部１２は、端末から受信した所定のフレームフォーマットのデータの一部または全部を無線通信部１１へ出力する。このデータには、交通情報等が含まれる。
【０１０７】
無線通信部１１は、有線通信部１２から受けたデータを制御部１３へ出力するとともに、デジタル信号である当該データに対して種々の信号処理を行ない、この信号処理後のデジタル信号をアナログ信号に変換し、変換したアナログ信号を無線信号に周波数変換してアンテナ１０へ出力する。
【０１０８】
無線通信装置９１が中継局１５１として用いられる場合、無線通信部１１は、アンテナ１０において受信された他の無線局からの無線信号を変換したデジタル信号に対して上記信号処理を行ない、この信号処理後のデジタル信号をアナログ信号に変換し、変換したアナログ信号を無線信号に周波数変換してアンテナ１０へ再び出力する。
【０１０９】
記憶部１６は、たとえば、無線通信システム３０１における各無線局の接続形態、ならびに主局１０１、従局２０２および中継局１５１の無線チャネル設定等の情報を記憶する。ユーザは、操作部１４等を介して記憶部１６の記憶内容を参照することが可能である。なお、記憶部１６の記憶内容は、主局１０１、中継局１５１および従局２０２の各々で異なってもよいし、同じであってもよい。
【０１１０】
制御部１３は、無線通信部１１から受けたデジタル信号に基づいて、無線通信装置９１の通信状況、具体的には、無線通信部１１による交通情報を含む無線信号の通信状況を監視する。
【０１１１】
操作部１４は、無線通信装置９１に対するユーザからの操作を受け付け、当該操作の内容を示す操作情報を制御部１３へ出力する。
【０１１２】
制御部１３は、上記通信状況の監視結果、記憶部１６の記憶内容および操作情報に基づいて、制御信号を表示部１５へ出力することにより、表示部１５において情報を表示する。
【０１１３】
より詳細には、制御部１３は、無線通信部１１による交通情報の通信状況を認識可能に表示する制御を行なう。たとえば、制御部１３は、発光素子を用いて通信状況を表示する。
【０１１４】
また、制御部１３は、無線通信システム３０１における主局１０１、中継局１５１および従局２０２の接続形態、ならびに当該接続形態における主局１０１および自己の無線通信装置９１を認識可能に表示する制御を行なう。
【０１１５】
図８は、本発明の第１の実施の形態に係る無線通信装置における表示部および操作部の構成の一例を示す図である。
【０１１６】
図８を参照して、操作部１４および表示部１５の一部または全部が実装された基板４５は、発光部３１〜３３と、スイッチ部３４と、ディップスイッチ３５とを含む。
【０１１７】
発光部３１は、１列に並んで配置されたＬＥＤ（Ｌｉｇｈｔ  Ｅｍｉｔｔｉｎｇ  Ｄｉｏｄｅ）等の複数の発光素子４１を含む。発光素子４１は、たとえば、１４個設けられ、７色の発光が可能である。
【０１１８】
発光部３２では、１列に並んで配置された複数の発光素子４２の組、すなわち１列分が各発光素子４２の配置方向と交差する方向に複数設けられている。具体的には、発光部３２は、１列に並んで配置されたＬＥＤ等の複数の発光素子４２を３列含む。発光素子４２は、たとえば、１列につき１０個設けられ、白色の発光が可能である。
【０１１９】
発光部３３は、２つの７セグメントＬＥＤを含む。スイッチ部３４は、１列に並んで配置された３つのロータリスイッチを含む。
【０１２０】
制御部１３は、たとえば自己の無線通信装置９１における各種状態を、発光部３３における２つの７セグメントＬＥＤに数字で表示する。ユーザは、スイッチ部３４におけるロータリスイッチの番号を選択することにより、２つの７セグメントＬＥＤに何の状態を表示するかを選択することができる。たとえば、ユーザは、スイッチ部３４におけるロータリスイッチの番号を選択することにより、無線通信装置９１の局番、無線チャネルおよびＲＳＳＩ等を表示することができる。
【０１２１】
図９は、本発明の第１の実施の形態に係る無線通信装置における表示部の表示内容の一例を説明するための図である。
【０１２２】
表示部１５における発光部３１は、制御部１３から受けた制御信号に基づいて、無線通信装置９１の各種通信パケットの通信状況を表示する。
【０１２３】
より詳細には、制御部１３は、所定の通信状況を表示する場合に、自己の無線通信装置９１が主局１０１であるか従局２０２であるかに応じて表示内容を変更する。たとえば、制御部１３は、無線通信部１１が交通情報を含む通信パケットを受信した状況を表示する場合に、自己の無線通信装置９１が主局１０１であるか従局２０２であるかに応じて表示内容を変更する。
【０１２４】
また、制御部１３は、たとえば同じ通信状況を表示する場合に、接点情報を含む通信パケットの通信状況であるかシリアル情報を含む通信パケットの通信状況であるかに応じて表示対象を変更する。
【０１２５】
具体的には、図９を参照して、発光部３１における発光素子４１であるＬＥＤを紙面左から順番にＬＥＤ１〜ＬＥＤ９，ＬＥＤ＿Ａ〜ＬＥＤ＿Ｅとする。
【０１２６】
ＬＥＤ１は、接点情報を含む制御パケットの送信状態を示すＬＥＤであり、緑色の場合が「送信中」を示し、赤色の場合が「送信停止」を示す。ＬＥＤ２は、接点情報を含む制御パケットの受信状態を示すＬＥＤであり、桃色の場合が「無線通信装置９１が主局１０１」かつ「受信中」を示し、緑色の場合が「無線通信装置９１が従局２０２または中継局１５１」かつ「受信中」を示し、赤色の場合が「受信停止」を示す。
【０１２７】
ＬＥＤ３は、シリアル回線１の送信状態すなわちチャネル１のシリアルパケットの送信状態を示すＬＥＤであり、青色の場合が「送信中」を示し、赤色の場合が「送信停止」を示し、滅灯の場合が「チャネル１未使用」を示す。ＬＥＤ４は、シリアル回線１の受信状態すなわちチャネル１のシリアルパケットの受信状態を示すＬＥＤであり、桃色の場合が「無線通信装置９１が主局１０１」かつ「受信中」を示し、青色の場合が「無線通信装置９１が従局２０２または中継局１５１」かつ「受信中」を示し、赤色の場合が「受信停止」を示す。
【０１２８】
ＬＥＤ５は、シリアル回線２の送信状態を示すＬＥＤであり、表示内容はＬＥＤ３と同様である。ＬＥＤ６は、シリアル回線２の受信状態を示すＬＥＤであり、表示内容はＬＥＤ４と同様である。
【０１２９】
ＬＥＤ７は、シリアル回線３の送信状態を示すＬＥＤであり、表示内容はＬＥＤ３と同様である。ＬＥＤ８は、シリアル回線３の受信状態を示すＬＥＤであり、表示内容はＬＥＤ４と同様である。
【０１３０】
ＬＥＤ９は、シリアル回線４の送信状態を示すＬＥＤであり、表示内容はＬＥＤ３と同様である。ＬＥＤ＿Ａは、シリアル回線４の受信状態を示すＬＥＤであり、表示内容はＬＥＤ４と同様である。
【０１３１】
ＬＥＤ＿Ｂは、シリアル回線０の送信状態を示すＬＥＤであり、表示内容はＬＥＤ３と同様である。ＬＥＤ＿Ｃは、シリアル回線０の受信状態を示すＬＥＤであり、表示内容はＬＥＤ４と同様である。
【０１３２】
ＬＥＤ＿Ｄは、リセット無効スイッチ設定中を示すＬＥＤであり、たとえばディップスイッチ３５における特定のスイッチがオンされている場合、点灯する。
【０１３３】
ＬＥＤ＿Ｅは、ＲＵＮ  ＬＥＤであり、無線ドライバ動作中すなわち無線通信装置９１が無線通信を行なっている場合、白色に点灯する。
【０１３４】
また、発光部３１におけるすべての発光素子４１が点灯している場合、無線通信装置９１が無線通信を行なわずに通信パラメータ等の変更を行なう保守モードで動作中であることを示す。
【０１３５】
ここで、主局１０１において通信パケットの送信が停止してしまう可能性は低いことから、送信状態を示すＬＥＤは、常に点滅している状態となる可能性が高い。すなわち、受信状態を示すＬＥＤが、送信状態を示すＬＥＤと比べて、無線局間の通信パケットの通信状況をより実質的に表現し得ると言える。このため、図９に示す例では、受信状態を示すＬＥＤにより多くの情報を集約している。なお、送信状態を示すＬＥＤにおいて、「無線通信装置９１が主局１０１」であるかまたは「無線通信装置９１が従局２０２または中継局１５１」であるかに応じて表示内容を変更することも可能である。
【０１３６】
図１０は、本発明の第１の実施の形態に係る無線通信装置における表示部の表示内容の一例を示す図である。図１１は、本発明の第１の実施の形態に係る無線通信システムにおける各無線局のネットワーク構成の一例を示す図である。図１０において、◆は点滅を表し、□は滅灯を表し、●は点灯を表す。
【０１３７】
表示部１５における発光部３２は、制御部１３から受けた制御信号に基づいて、無線通信システム３０１における各無線局のネットワーク構成をグループ分けして表示する。
【０１３８】
より詳細には、制御部１３は、１列に並んで配置された複数の発光素子４２において、無線通信システム３０１における各無線局の接続形態における主局１０１、中継局１５１および従局２０２と発光素子４２とを当該接続形態における接続順に対応付け、対応付けた各発光素子４２を点灯させる。そして、制御部１３は、対応付けた各発光素子４２のうち、自己の無線通信装置９１に対応する発光素子４２の点灯内容を他の発光素子４２の点灯内容と異ならせる。
【０１３９】
また、たとえば、制御部１３は、主局１０１に対応する発光素子４２と従局２０２に対応する発光素子４２との間に位置する発光素子４２を滅灯させるように制御する。また、無線通信システム３０１が中継局１５１を備える場合、たとえば、制御部１３は、中継局１５１に対応する発光素子４２と主局１０１および従局２０２に対応する発光素子４２との間に位置する各発光素子４２を滅灯させるように制御する。
【０１４０】
具体的には、発光部３２では、以下の（１）〜（４）のルールで発光素子４２が点灯制御される。すなわち、（１）自己の無線局に対応する発光素子４２は点滅する。（２）主局１０１と中継局１５１との間の発光素子４２、および中継局１５１と従局２０２との間の発光素子４２は滅灯する。（３）中継局１５１が複数あるときは連続する発光素子４２が表示対象となる。（４）構成１から順に１つの構成の表示対象が発光素子４２の１行となる。
【０１４１】
図１１を参照して、無線通信システム３０１は、共通の主局１０１を一方の端点として直列接続された主局１０１および従局２０２の組を複数備える。たとえば、無線通信システム３０１は、構成１および構成２からなる。
【０１４２】
構成１は、局番９の主局１０１を一方の端点として直列接続された局番２，３，４の３つの中継局および他方の端点である局番１の従局２０２を含む。すなわち、構成１では、局番９，２，３，４，１の順に各無線局が直列接続されている。
【０１４３】
構成２は、局番９の主局１０１を一方の端点として直列接続された局番２，６の中継局および他方の端点である局番５の従局２０２を含む。すなわち、構成２では、局番９，２，６，５の順に各無線局が直列接続されている。
【０１４４】
制御部１３は、表示部１５において、主局１０１、中継局１５１および従局２０２の組と１列分の発光素子４２の組とを対応付け、対応付けた組の各発光素子４２を点灯させる。
【０１４５】
具体的には、図１０を参照して、図１１に示すようなネットワーク構成において、発光部３２では、構成１が紙面上から１行目のＬＥＤ群に相当し、構成２が紙面上から２行目のＬＥＤ群に相当する。
【０１４６】
１行目のＬＥＤ群において、構成１の一方の端点である局番９の主局１０１が１番目のＬＥＤすなわち紙面左から１つ目のＬＥＤに相当し、局番２の中継局１５１が３つ目のＬＥＤに相当し、局番３の中継局１５１が４つ目のＬＥＤに相当し、局番４の中継局１５１が５つ目のＬＥＤに相当し、他方の端点である局番１の従局２０２が７つ目のＬＥＤに相当する。また、主局１０１と中継局１５１と間の２つ目のＬＥＤは滅灯しており、中継局１５１と従局２０２との間の６つ目のＬＥＤは滅灯している。
【０１４７】
２行目のＬＥＤ群において、構成２の一方の端点である局番９の主局１０１が１番目のＬＥＤに相当し、局番２の中継局１５１が３つ目のＬＥＤに相当し、局番６の中継局１５１が４つ目のＬＥＤに相当し、他方の端点である局番５の従局２０２が６つ目のＬＥＤに相当する。また、主局１０１と中継局１５１との間の２つ目のＬＥＤは滅灯しており、中継局１５１と従局２０２との間の５つ目のＬＥＤは滅灯している。
【０１４８】
そして、局番９の主局１０１における発光部３２では、１行目および２行目のＬＥＤ群において、自己の無線局に対応する１つ目のＬＥＤが点滅している。
【０１４９】
また、局番３の中継局１５１における発光部３２では、１行目のＬＥＤ群において、自己の無線局に対応する４つ目のＬＥＤが点滅している。
【０１５０】
図１２は、本発明の第１の実施の形態に係る無線通信装置の表示部におけるロータリスイッチ設定と表示対象のネットワーク構成との関係の一例を示す図である。
【０１５１】
制御部１３は、主局１０１、中継局１５１および従局２０２の組の数が発光素子４２の組の数よりも多い場合、発光素子４２の組と主局１０１、中継局１５１および従局２０２の組との対応関係を変更可能である。
【０１５２】
具体的には、図１２を参照して、スイッチ部３４における特定のロータリスイッチＲＳＷ１の値が０に設定されている場合、発光部３２では、構成１−３が表示対象となる。同様に、ロータリスイッチＲＳＷ１の値が１，２，３，４，５に設定されている場合、発光部３２では、構成４−６，７−９，１０−１２，１３−１５，１６がそれぞれ表示対象となる。
【０１５３】
無線通信システム３０１における各装置は、コンピュータを備え、当該コンピュータにおけるＣＰＵ等の演算処理部は、以上のような処理の一部または全部をステップ化したプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１５４】
ところで、無線通信システムにおいて通信障害が発生した場合等、無線通信システムの保守作業を行なう必要がある場合、作業者は、各地点に散在している無線通信装置にＰＣ等を接続して通信状況を確認する作業を行なう必要があり、また、当該無線通信装置が主局であるか否かの情報をＰＣ等経由で取得する作業を、主局が見つかるまで総当たり的に行なう必要があり、保守作業に長時間を要する。
【０１５５】
これに対して、本発明の第１の実施の形態に係る無線通信装置では、無線通信部１１は、交通情報を含む無線信号を送信または受信する。制御部１３は、無線通信部１１による交通情報の通信状況を認識可能に表示する制御を行なう。
【０１５６】
このような構成により、無線通信システム３０１の保守作業において、設置されている各無線通信装置９１の通信状況、すなわち交通情報の通信状況を容易に把握することができるため、無線通信装置９１にＰＣ等を接続して通信状況を確認する作業を行なう必要がなくなる。
【０１５７】
したがって、本発明の第１の実施の形態に係る無線通信装置では、交通情報を無線伝送する無線通信システムの保守作業を効率的に行なうことができる。
【０１５８】
また、本発明の第１の実施の形態に係る無線通信装置では、制御部１３は、所定の通信状況を表示する場合に、自己の無線通信装置９１が主局１０１であるか従局２０２であるかに応じて表示内容を変更する。
【０１５９】
このような構成により、無線通信装置９１が主局１０１であるか従局２０２であるかを容易に把握することができるため、無線通信システムの保守作業をより効率的に行なうことができる。
【０１６０】
また、本発明の第１の実施の形態に係る無線通信装置では、制御部１３は、無線通信部１１が交通情報を受信した状況を表示する場合に、自己の無線通信装置９１が主局１０１であるか従局２０２であるかに応じて表示内容を変更する。
【０１６１】
このように、交通情報を受信した状況の表示内容を主局１０１および従局２０２の別に応じて変更する構成により、確認容易性を向上させることができる。また、無線局間の通信パケットの通信状況をより実質的に表現することができる。
【０１６２】
また、本発明の第１の実施の形態に係る無線通信装置では、交通情報は、車両の感知の有無を示す接点情報および接点情報と異なる情報であるシリアル情報を含む。無線通信システム３０１においては、制御パケットがすべての主局１０１およびすべての従局２０２を経由することが可能であり、シリアルパケットが対応の従局２０２および主局１０１間で送受信される。制御部１３は、接点情報の通信状況であるかシリアル情報の通信状況であるかに応じて表示対象を変更する。
【０１６３】
このような構成により、伝送される交通情報の種類に応じた表示内容に基づき、より詳細な通信状況を把握することができる。
【０１６４】
また、本発明の第１の実施の形態に係る無線通信装置では、制御部１３は、発光素子を用いて通信状況を表示する。
【０１６５】
このような構成により、通信状況をより直感的に把握することができるため、無線通信システムの保守作業をより効率的に行なうことができる。
【０１６６】
また、本発明の第１の実施の形態に係る無線通信装置では、制御部１３は、無線通信システム３０１における主局１０１および従局２０２の接続形態、ならびに当該接続形態における主局１０１および自己の無線通信装置９１を認識可能に表示する制御を行なう。
【０１６７】
このような構成により、無線通信システム３０１の保守作業において、設置されている各無線通信装置９１のうち、いずれの無線通信装置９１が主局１０１であるか等、ネットワーク構成を容易に把握することができるため、無線通信装置９１にＰＣ等を接続して当該無線通信装置９１が主局１０１であるか等を確認する作業を行なう必要がなくなる。
【０１６８】
したがって、本発明の第１の実施の形態に係る無線通信装置では、交通情報を無線伝送する無線通信システムの保守作業を効率的に行なうことができる。
【０１６９】
また、本発明の第１の実施の形態に係る無線通信装置では、制御部１３は、並んで配置された複数の発光素子４２において、当該接続形態における主局１０１および従局２０２と発光素子４２とを当該接続形態における接続順に対応付け、対応付けた各発光素子４２を点灯させる。そして、制御部１３は、対応付けた各発光素子４２のうち、自己の無線通信装置９１に対応する発光素子４２の点灯内容を他の発光素子４２の点灯内容と異ならせる。
【０１７０】
このような構成により、表示されたネットワーク構成において、自己の無線通信装置９１を容易に把握することができるため、無線通信システムの保守作業をより効率的に行なうことができる。
【０１７１】
また、本発明の第１の実施の形態に係る無線通信装置では、制御部１３は、主局１０１に対応する発光素子４２と従局２０２に対応する発光素子４２との間に位置する発光素子４２を滅灯させるように制御する。
【０１７２】
このような構成により、表示されたネットワーク構成において、主局１０１および従局２０２の区切りを容易に把握することができるため、無線通信システムの保守作業をより効率的に行なうことができる。
【０１７３】
また、本発明の第１の実施の形態に係る無線通信装置では、制御部１３は、並んで配置された複数の発光素子４２において、当該接続形態における主局１０１、中継局１５１および従局２０２と発光素子４２とを当該接続形態における接続順に対応付け、対応付けた各発光素子４２を点灯させる。そして、制御部１３は、さらに、中継局１５１に対応する発光素子４２と主局１０１および従局２０２に対応する発光素子４２との間に位置する各発光素子４２を滅灯させるように制御する。
【０１７４】
このような構成により、表示されたネットワーク構成において、主局１０１、中継局１５１および従局２０２の区切りを容易に把握することができるため、無線通信システムの保守作業をより効率的に行なうことができる。
【０１７５】
また、本発明の第１の実施の形態に係る無線通信システムは、共通の主局１０１を一方の端点として直列接続された主局１０１および従局２０２の組を複数備える。本発明の第１の実施の形態に係る無線通信装置において、制御部１３は、並んで配置された複数の発光素子４２の組が各発光素子４２の配置方向と交差する方向に複数設けられた表示部１５において、主局１０１および従局２０２の組と発光素子４２の組とを対応付け、対応付けた組の各発光素子４２を点灯させる。
【０１７６】
このような構成により、無線通信システム３０１において主局１０１から従局２０２への接続ラインが分岐している場合に、このようなネットワーク構成の詳細を容易に把握することができるため、無線通信システムの保守作業をより効率的に行なうことができる。
【０１７７】
また、本発明の第１の実施の形態に係る無線通信装置では、制御部１３は、主局１０１および従局２０２の組の数が発光素子４２の組の数よりも多い場合、発光素子４２の組と主局１０１および従局２０２の組との対応関係を変更可能である。
【０１７８】
このような構成により、無線通信システム３０１において主局１０１から従局２０２への接続ラインの分岐が多い場合に、限られた表示リソースの中でネットワーク構成の詳細を容易に把握することができる。
【０１７９】
なお、本発明の第１の実施の形態に係る無線通信システムでは、主局１０１および従局２０２は、交通情報を双方向に無線伝送する構成であるとしたが、これに限定するものではない。主局１０１から従局２０２への方向、および従局２０２から主局１０１への方向のいずれか一方において、交通情報が無線伝送される構成であってもよい。すなわち、無線通信装置９１における無線通信部１１は、交通情報を含む無線信号の送信および受信のいずれか一方を行なう構成であってもよい。
【０１８０】
また、本発明の第１の実施の形態に係る無線通信装置は、主局１０１、中継局１５１および従局２０２で共用される構成であるとしたが、これに限定するものではない。無線通信装置９１は、主局１０１、中継局１５１および従局２０２のいずれか１つのみ、またはいずれか２つとして使用可能であってもよい。
【０１８１】
また、本発明の第１の実施の形態に係る無線通信装置は、表示部１５を備える構成であるとしたが、これに限定するものではない。表示部１５は、無線通信装置９１の外部に設けられてもよい。
【０１８２】
また、本発明の第１の実施の形態に係る無線通信装置は、表示部１５において複数の発光部を備える構成であるとしたが、これに限定するものではない。無線通信装置９１は、１つの発光部を備える構成であってもよい。
【０１８３】
また、本発明の第１の実施の形態に係る無線通信装置では、発光部３１，３２の各々は、複数の発光素子を含む構成であるとしたが、これに限定するものではない。発光部３１，３２の各々は、１つの発光素子を含む構成であってもよい。
【０１８４】
また、本発明の第１の実施の形態に係る無線通信装置における制御部１３は、発光部３１における発光素子４１の点灯色を変更する構成に限らず、発光素子４１の点滅および当該点滅の速度を変更する構成であってもよい。また、制御部１３は、発光部３２における発光素子４２の点灯、点滅および滅灯を変更する構成に限らず、発光素子４２の点灯色を変更する構成であってもよい。さらに、制御部１３は、発光部３１および発光部３２における発光素子の輝度を変更することも可能である。
【０１８５】
また、本発明の第１の実施の形態に係る無線通信装置における制御部１３は、スイッチ部３４におけるロータリスイッチの値に応じて表示対象のネットワーク構成を変更する構成に限らず、たとえば、ＰＣからのレジスタ設定等、何らかのユーザ操作で表示対象のネットワーク構成を変更する構成であってもよい。
次に、本発明の他の実施の形態について図面を用いて説明する。なお、図中同一または相当部分には同一符号を付してその説明は繰り返さない。
【０１８６】
＜第２の実施の形態＞
本実施の形態は、第１の実施の形態に係る無線通信装置と比べて表示内容を変更した無線通信装置に関する。以下で説明する内容以外は第１の実施の形態に係る無線通信装置と同様である。
【０１８７】
図１３は、本発明の第２の実施の形態に係る無線通信装置における表示部の表示内容の一例を示す図である。
【０１８８】
制御部１３は、１列に並んで配置された複数の発光素子４２と無線通信システム３０１における主局１０１および従局２０２とを、主局１０１および従局２０２にそれぞれ付与された番号に基づいて対応付け、対応付けた各発光素子４２を点灯させる。
【０１８９】
具体的には、図１３を参照して、発光部３２では、たとえば、１列に並んで配置された複数の発光素子４２を紙面左から順番に１番〜９番の無線局に対応付ける。
【０１９０】
図１１に示すようなネットワーク構成において、発光部３２では、構成１が紙面上から１行目のＬＥＤ群に相当し、構成２が紙面上から２行目のＬＥＤ群に相当する。
【０１９１】
制御部１３は、１行目のＬＥＤ群において、紙面左から１つ目〜４つ目のＬＥＤおよび９つ目のＬＥＤを点灯させ、２行目のＬＥＤ群において、紙面左から１つ目〜２つ目のＬＥＤ、５つ目〜６つ目のＬＥＤ、および９つ目のＬＥＤを点灯させる。
【０１９２】
また、制御部１３は、各無線局の接続形態における接続順に応じて発光素子４２の点灯内容を異ならせる。
【０１９３】
より詳細には、たとえば、制御部１３は、従局２０２に対応する発光素子４２を点滅させ、各無線局の接続形態における主局１０１から従局２０２への方向に、発光素子４２の点滅速度を順次速くする。すなわち、制御部１３は、主局１０１からの通信パケットの通過順を各発光素子４２の点滅速度の相違によって表示する。
【０１９４】
具体的には、図１３において、●は常時点灯を表し、★は２秒周期の点滅を表し、☆は１秒周期の点滅を表し、※は５００ミリ秒周期の点滅を表し、◇は２００ミリ秒周期の点滅を表し、◆は１００ミリ秒周期の点滅を表し、□は滅灯を表す。
【０１９５】
制御部１３は、主局１０１の次段の局番２の中継局１５１に対応する紙面左から２つ目のＬＥＤの点滅周期を２秒に設定する。また、制御部１３は、局番２の中継局１５１の次段の局番３，６の中継局１５１に対応する３つ目および６つ目のＬＥＤの点滅周期を１秒に設定する。また、制御部１３は、局番３の中継局１５１の次段の局番４の中継局１５１に対応する４つ目のＬＥＤ、および局番６の中継局１５１の次段の局番５の従局２０２に対応する５つ目のＬＥＤの点滅周期を５００ミリ秒に設定する。また、制御部１３は、局番４の中継局１５１の次段の局番１の従局２０２に対応する１つ目のＬＥＤの点滅周期を２００ミリ秒に設定する。
【０１９６】
また、たとえば、制御部１３は、対応付けた各発光素子４２において、発光素子４２が主局１０１に対応するか従局２０２に対応するかに応じて当該発光素子４２の点灯内容を変更する。
【０１９７】
より詳細には、たとえば、局番３の中継局１５１における制御部１３は、主局１０１に対応する発光素子４２を常時点灯させる。すなわち、局番３の中継局１５１における制御部１３は、局番９の主局１０１に対応する紙面左から９つ目のＬＥＤを常時点灯させる。
【０１９８】
また、たとえば、制御部１３は、対応付けた各発光素子４２のうち、自己の無線通信装置９１に対応する発光素子４２の点灯内容を他の発光素子４２の点灯内容と異ならせる。
【０１９９】
より詳細には、たとえば、制御部１３は、１列に並んで配置された各発光素子４２のうち、自己の無線通信装置９１に対応する発光素子４２を、さらに、周期的に滅灯させ、滅灯させる期間を、最も遅い点滅速度で点滅する発光素子４２の滅灯期間よりも長くする。
【０２００】
具体的には、局番９の主局１０１における制御部１３は、局番９の主局１０１に対応する紙面左から９つ目のＬＥＤを点滅させ、滅灯期間を最長の５秒に設定する。また、局番３の中継局１５１における制御部１３は、局番３の中継局１５１に対応する紙面左から３つ目のＬＥＤを、５００ミリ秒周期で点滅する状態を５秒間継続させた後、次に滅灯する状態を５秒間継続させる動作を繰り返す。
【０２０１】
図１４は、本発明の第２の実施の形態に係る無線通信システムにおける各無線局のネットワーク構成の他の例を示す図である。
【０２０２】
図１４を参照して、この例では、構成１は、局番９の主局１０１を一方の端点として直列接続された局番２，３の２つの中継局および他方の端点である局番１の従局２０２を含む。すなわち、構成１では、局番９，２，３，１の順に各無線局が直列接続されている。
【０２０３】
構成２は、局番９の主局１０１を一方の端点として直列接続された局番２，６，４の中継局および他方の端点である局番５の従局２０２を含む。すなわち、構成２では、局番９，２，６，４，５の順に各無線局が直列接続されている。
【０２０４】
構成３は、局番９の主局１０１を一方の端点として直列接続された局番２，６，７の中継局および他方の端点である局番８の従局２０２を含む。すなわち、構成３では、局番９，２，６，７，８の順に各無線局が直列接続されている。
【０２０５】
無線通信システム３０１は、主局１０１から送信された制御パケットがすべての従局２０２および中継局１５１を経由して主局１０１に戻ることができない場合、一部の従局２０２および中継局１５１を経由して制御パケットを主局１０１に戻すことが可能である。
【０２０６】
より詳細には、主局１０１または従局２０２は、自局に対して主局１０１から従局２０２への下り方向側に接続された従局２０２である下位局へ制御パケットを所定回数送信しても、当該下位局から自局へ制御パケットが戻ってこない場合、制御パケットの送信先から当該下位局を除外し、他の下位局または主局１０１へ制御パケットを送信する。
【０２０７】
具体的には、たとえば、局番６の中継局１５１において障害が発生し、局番２，３，１の無線局を制御パケットが経由できた一方で、局番６，４，５，７，８の無線局を制御パケットが経由できない場合を考える。
【０２０８】
この場合、局番２の中継局１５１が、局番２，３，１，３，２の順に伝送された制御パケットを局番６の中継局１５１へ送信しても、局番２の中継局１５１には制御パケットが戻ってこない。局番２の中継局１５１は、制御パケットを所定回数再送しても局番６の中継局１５１から制御パケットが戻ってこない場合、当該制御パケットを局番９の主局１０１へ送信する。これにより、局番９，２，３，１の間では、制御パケットを正常に送受信することができる。
【０２０９】
そして、制御部１３は、自己の無線通信装置９１が主局１０１であり、かつ無線通信部１１が制御パケットを受信した状況を表示する場合に、当該制御パケットがすべての中継局１５１および従局２０２を経由したか否かに応じて交通情報の通信状況の表示内容を変更する。
【０２１０】
たとえば、図９において説明したＬＥＤ２では、桃色の場合が「無線通信装置９１が主局１０１」かつ「すべての中継局１５１および従局２０２を経由した制御パケットを受信中」を示し、緑色の場合が「無線通信装置９１が従局２０２または中継局１５１」かつ「受信中」を示し、赤色の場合が「受信停止」を示す。これに加えて、ＬＥＤ２において、黄色の場合が「無線通信装置９１が主局１０１」かつ「一部の中継局１５１および従局２０２を経由した制御パケットを受信中」を示してもよい。
【０２１１】
図１５は、本発明の第２の実施の形態に係る無線通信装置における表示部の表示内容の一例を説明するための図である。以下で説明する内容以外は図９に示す表示内容と同様である。
【０２１２】
具体的には、図１５を参照して、ＬＥＤ２は、接点情報を含む制御パケットの受信状態を示すＬＥＤであり、桃色の場合が「無線通信装置９１が主局１０１」かつ「すべての中継局１５１および従局２０２を経由した制御パケットを受信中」を示し、黄色の場合が「無線通信装置９１が主局１０１」かつ「一部の中継局１５１および従局２０２を経由した制御パケットを受信中」を示し、青色の場合が「無線通信装置９１が従局２０２または中継局１５１」かつ「受信中」を示し、赤色の場合が「受信停止」を示す。
【０２１３】
以上のように、本発明の第２の実施の形態に係る無線通信装置では、制御部１３は、自己の無線通信装置９１が主局１０１であり、かつ無線通信部１１が制御パケットを受信した状況を表示する場合に、当該制御パケットがすべての従局２０２を経由したか否かに応じて交通情報の通信状況の表示内容を変更する。
【０２１４】
このような構成により、交通情報を含むパケットの通信状況をより詳しく把握することができるため、無線通信システムの保守作業をより効率的に行なうことができる。
【０２１５】
また、本発明の第２の実施の形態に係る無線通信装置では、制御部１３は、並んで配置された複数の発光素子４２と無線通信システム３０１における主局１０１および従局２０２とを、主局１０１および従局２０２にそれぞれ付与された番号に基づいて対応付け、対応付けた各発光素子４２を点灯させる。そして、制御部１３は、各無線局の接続形態における接続順に応じて発光素子４２の点灯内容を異ならせる。
【０２１６】
このような構成により、各無線局の番号を参照しながら通信解析を行なう場合等、各無線局の番号を用いて無線通信システムの保守作業をより効率的に行なうことができる。
【０２１７】
また、本発明の第２の実施の形態に係る無線通信装置では、制御部１３は、対応付けた各発光素子４２のうち、自己の無線通信装置９１に対応する発光素子４２の点灯内容を他の発光素子４２の点灯内容と異ならせる。
【０２１８】
このような構成により、表示されたネットワーク構成において、自己の無線通信装置９１を容易に把握することができるため、無線通信システムの保守作業をより効率的に行なうことができる。
【０２１９】
また、本発明の第２の実施の形態に係る無線通信装置では、制御部１３は、対応付けた各発光素子４２において、発光素子４２が主局１０１に対応するか従局２０２に対応するかに応じて当該発光素子４２の点灯内容を変更する。
【０２２０】
このような構成により、表示されたネットワーク構成において、主局１０１および従局２０２の別を容易に把握することができるため、無線通信システムの保守作業をより効率的に行なうことができる。
【０２２１】
また、本発明の第２の実施の形態に係る無線通信装置では、制御部１３は、従局２０２に対応する発光素子４２を点滅させ、各無線局の接続形態における主局１０１から従局２０２への方向に、発光素子４２の点滅速度を順次速くする。
【０２２２】
このような構成により、ネットワーク構成の詳細をより直感的に把握することができるため、無線通信システムの保守作業をより効率的に行なうことができる。
【０２２３】
また、本発明の第２の実施の形態に係る無線通信装置では、制御部１３は、各発光素子４２のうち、自己の無線通信装置９１に対応する発光素子４２を、さらに、周期的に滅灯させ、滅灯させる期間を、最も遅い点滅速度で点滅する発光素子４２の滅灯期間よりも長くする。
【０２２４】
このような構成により、ネットワーク構成の詳細をより直感的に把握可能な表示において、自己の無線通信装置９１を容易に把握することができる。
【０２２５】
また、本発明の第２の実施の形態に係る無線通信装置では、制御部１３は、主局１０１に対応する発光素子４２を常時点灯させる。
【０２２６】
このような構成により、ネットワーク構成の詳細をより直感的に把握可能な表示において、主局１０１を容易に把握することができる。
【０２２７】
その他の構成および動作は第１の実施の形態に係る無線通信装置と同様であるため、ここでは詳細な説明を繰り返さない。
【０２２８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２２９】
以上の説明は、以下に付記する特徴を含む。
【０２３０】
［付記１］
交通情報を無線伝送するための主局および従局を備える無線通信システム、における無線通信装置であって、
前記無線通信装置は、前記主局および前記従局の少なくともいずれか一方として使用可能であり、
前記交通情報を含む無線信号を送信または受信する無線通信部と、
前記無線通信部による前記交通情報の通信状況を認識可能に表示する制御を行なう表示制御部とを備え、
前記無線通信システムは、交通管制システムに用いられる無線ＬＡＮシステムであり、
前記主局はアクセスポイントであり、
前記無線通信装置は、さらに、前記表示制御部の制御対象であるＬＥＤを含む表示部を備える、無線通信装置。
【０２３１】
［付記２］
交通情報を無線伝送するための主局および１または複数の従局を備える無線通信システム、における無線通信装置であって、
前記無線通信装置は、前記主局および前記従局の少なくともいずれか一方として使用可能であり、
前記交通情報を含む無線信号を送信または受信する無線通信部と、
前記無線通信システムにおける前記主局および前記従局の接続形態、ならびに前記接続形態における前記主局および自己の前記無線通信装置を認識可能に表示する制御を行なう表示制御部とを備え、
前記無線通信システムは、交通管制システムに用いられる無線ＬＡＮシステムであり、
前記主局はアクセスポイントであり、
前記無線通信装置は、さらに、前記表示制御部の制御対象であるＬＥＤを含む表示部を備える、無線通信装置。
【符号の説明】
【０２３２】
１０  アンテナ
１１  無線通信部
１２  有線通信部
１３  制御部
１４  操作部
１５  表示部
１６  記憶部
３１〜３３  発光部
３４  スイッチ部
３５  ディップスイッチ
４５  基板
９１  無線通信装置
１０１  主局
１５１  中継局
１６０  中央側通信装置（ＴＴＲ）
１６１  交通信号機
１６２  光ビーコン
１６３  画像センサ
１６４  超音波センサ
２０１  無線ＬＡＮネットワーク
２０２  従局
３０１  無線通信システム
４０１  交通管制システム
Ａ〜Ｅ  端末
【図１】
2015097369.tif 000003
【図２】
2015097369.tif 000004
【図３】
2015097369.tif 000005
【図４】
2015097369.tif 000006
【図５】
2015097369.tif 000007
【図６】
2015097369.tif 000008
【図７】
2015097369.tif 000009
【図８】
2015097369.tif 000010
【図９】
2015097369.tif 000011
【図１０】
2015097369.tif 000012
【図１１】
2015097369.tif 000013
【図１２】
2015097369.tif 000014
【図１３】
2015097369.tif 000015
【図１４】
2015097369.tif 000016
【図１５】
2015097369.tif 000017